(57)【特許請求の範囲】
【請求項１】
サッシ枠とシャッター枠を備え、前記シャッター枠の見込み方向室外側部に沿ってシャッタースラットを昇降自在としたシャッター付きサッシであって、
前記シャッター枠のシャッター縦枠は、サッシ枠のサッシ縦枠の見付け方向外側に位置し、
前記シャッター縦枠は、この見込み方向中間部に見付け方向内側に向かう内向片を備え、この内向片には第１規制部と、この第１規制部よりも見付け方向外側寄りで、かつ見込み方向室内側寄りの第２規制部が設けられ、
前記第１規制部が、サッシ縦枠の見付け方向外側の角部を形成する見込み方向室外側面に当接し、
前記第２規制部が、サッシ縦枠の前記角部を形成する見付け方向外側面と間隔を置いて相対向し、前記シャッター縦枠が見付け方向内側に撓んだときに、前記第１規制部がサッシ枠の前記見込み方向室外側面に対して見付け方向に摺接し、前記第２規制部がサッシ縦枠の前記見付け方向外側面に当接するようにしたことを特徴とするシャッター付きサッシ。
【請求項２】
前記第１規制部のサッシ縦枠の前記見込み方向室外側面と当接する当接面は、見込み方向室内側に突出した円弧状凸面で、
前記第２規制部は、サッシ縦枠の前記見付け方向外側面に沿った平坦面である請求項１記載のシャッター付きサッシ。
【請求項３】
前記第１規制部の当接面は、サッシ縦枠の前記見込み方向室外側面における前記見付け方向外側面よりも見付け方向内側寄りに当接している請求項２記載のシャッター付きサッシ。
【請求項４】
前記内向片に、見付け方向に向かうと共に、見付け方向内側端において見込み方向室内側に突出した突起部を有した第１規制片と、見込み方向に向かう第２規制片を、前記第１規制片の見込み方向室内側面と第２規制片の見付け方向内側面が鉤形に連続するようにそれぞれ設け、
前記突起部の見込み方向室内側面を前記円弧状凸面とし、その円弧状凸面をサッシ縦枠の前記見込み方向室外側面に接し、かつ第１規制片の前記見込み方向室内側面とサッシ縦枠の前記見込み方向室外側面を離隔して前記第１規制部とし、
前記第２規制片の前記見付け方向内側面をサッシ縦枠の前記見付け方向外側面と間隔を置いて対向して前記第２規制部とした請求項３記載のシャッター付きサッシ。
【発明の詳細な説明】
【技術分野】
【０００１】
本発明は、サッシ枠とシャッター枠を備えたシャッター付きサッシに関する。
【背景技術】
【０００２】
従来、シャッター付きサッシとしては、サッシ枠とシャッター枠を備え、そのシャッター枠でサッシ枠を取り囲むようにしたものが提案されている。
例えば、特許文献１に開示したように、シャッター枠のシャッター縦枠を建物躯体に、サッシ枠のサッシ縦枠の見付け方向外側となるように取り付け、このシャッター縦枠の見込み方向室外側部に沿ってシャッタースラットを昇降自在としたシャッター付きサッシが提案されている。
【先行技術文献】
【特許文献】
【０００３】
【特許文献１】実用新案登録第２６０６４７８号公報
【発明の概要】
【発明が解決しようとする課題】
【０００４】
前述した従来のシャッター付きサッシは、サッシ縦枠とシャッター縦枠が見付け方向に離隔し、両者の間に空間があると共に、サッシ縦枠の縁板とシャッター縦枠の目隠し用突条との間に隙間があるので、シャッタースラットを開放したときなどに雨水が前述の隙間から空間に浸入し、建物躯体まで流れ込むことがあるから、水密性に問題がある。
前記シャッター縦枠は、見込み方向室内側部が建物躯体に固着して取り付けられ、見込み方向室外側部にシャッタースラットが設けてあるので、そのシャッタースラットが風圧を受けたときにシャッター縦枠に見付け方向内側に向かう力が負荷し、その力によってシャッター縦枠が、建物躯体固着部から見付け方向内側に倒れるように撓むことがあるので、耐風圧性能に問題がある。
【０００５】
本発明の目的は、サッシ縦枠とシャッター縦枠との間の空間に雨水が浸入することがなく水密性を向上できると共に、シャッタースラットが風圧を受けたときのシャッター縦枠の見付け方向内側への撓みを軽減して耐風圧性能を向上できるシャッター付きサッシとすることである。
【課題を解決するための手段】
【０００６】
本発明は、サッシ枠とシャッター枠を備え、前記シャッター枠の見込み方向室外側部に沿ってシャッタースラットを昇降自在としたシャッター付きサッシであって、前記シャッター枠のシャッター縦枠は、サッシ枠のサッシ縦枠の見付け方向外側に位置し、前記シャッター縦枠は、この見込み方向中間部に見付け方向内側に向かう内向片を備え、この内向片には第１規制部と、この第１規制部よりも見付け方向外側寄りで、かつ見込み方向室内側寄りの第２規制部が設けられ、前記第１規制部が、サッシ縦枠の見付け方向外側の角部を形成する見込み方向室外側面に当接し、前記第２規制部が、サッシ縦枠の前記角部を形成する見付け方向外側面と間隔を置いて相対向し、前記シャッター縦枠が見付け方向内側に撓んだときに、前記第１規制部がサッシ縦枠の前記見込み方向室外側面に対して見付け方向に摺接し、前記第２規制部がサッシ縦枠の前記見付け方向外側面に当接するようにしたことを特徴とするシャッター付きサッシである。
【０００７】
本発明は、前記第１規制部のサッシ縦枠の前記見込み方向室外側面と当接する当接面は、見込み方向室内側に突出した円弧状凸面で、前記第２規制部は、サッシ縦枠の前記見付け方向外側面に沿った平坦面であるシャッター付きサッシとすることができる。
このようにすれば、第１規制部の接触面とサッシ縦枠の見込み方向室外側面との間の止水性を優れたものにできる。
しかも、シャッター縦枠の見付け方向内側への撓みを第２規制部で確実に規制することができる。
【０００８】
本発明は、前前記第１規制部の当接面は、サッシ縦枠の前記見込み方向室外側面における前記見付け方向外側面よりも見付け方向内側寄りに当接しているシャッター付きサッシとすることができる。
このようにすれば、サッシ枠、シャッター枠の加工誤差、組立誤差による見付け方向寸法の誤差があったり、見付け方向の取り付け誤差があった場合でも、第１規制部の当接面をサッシ縦枠の見込み方向室外側面に当接させることができる。
【０００９】
本発明は、前記内向片に、見付け方向に向かうと共に、見付け方向内側端において見込み方向室内側に突出した突起部を有した第１規制片と、見込み方向に向かう第２規制片を、前記第１規制片の見込み方向室内側面と第２規制片の見付け方向内側面が鉤形に連続するようにそれぞれ設け、前記突起部の見込み方向室内側面を前記円弧状凸面とし、その円弧状凸面をサッシ縦枠の前記見込み方向室外側面に接し、かつ第１規制片の前記見込み方向室内側面とサッシ縦枠の前記見込み方向室外側面を離隔して前記第１規制部とし、前記第２規制片の前記見付け方向内側面をサッシ縦枠の前記見付け方向外側面と間隔を置いて対向して前記第２規制部としたシャッター付きサッシとすることができる。
このようにすれば、例えば、サッシ枠が合成樹脂製で、サッシ縦枠とサッシ上枠、サッシ下枠の溶着連結部にバリなどがある場合に、そのバリなどによる影響を受けることなく止水及び撓みを規制できる。
【発明の効果】
【００１０】
本発明によれば、シャッター縦枠の内向片に設けた第１規制部によってサッシ縦枠の見込み方向室外側面とシャッター縦枠の内向片との間を止水できるから、サッシ縦枠とシャッター縦枠との間の空間への雨水の浸入を抑制することができ、水密性を向上できる。
また、シャッタースラットが風圧を受けたときのシャッター縦枠の見込み方向室内側への撓みを第１規制部で軽減できると共に、見付け方向内側への撓みを第２規制部で軽減できるから、耐風圧性能を向上できる。
また、第２規制部とサッシ縦枠の見付け方向室外側面との間の間隔によって、サッシ枠、シャッター枠の加工誤差、組立誤差による見付け方向の寸法誤差、見付け方向の取付誤差を吸収することができる。
また、サッシ縦枠とシャッター縦枠の間の空間が内向片で見えないので、外観の見栄えが良い。
【図面の簡単な説明】
【００１１】
【図１】本発明のシャッター付きサッシの概略外観図である。
【図２】図１のＡ−Ａ拡大詳細横断面図である。
【図３】サッシ縦枠とシャッター縦枠の拡大横断面図である。
【図４】シャッター縦枠が撓んだ状態の横断面図である。
【図５】シャッター縦枠が更に撓んだ状態の横断面図である。
【図６】規制部の拡大図である。
【図７】規制部の第２の実施の形態を示す横断面図である。
【図８】規制部の第３の実施の形態を示す横断面図である。
【図９】規制部の第４の実施の形態を示す横断面図である。
【発明を実施するための形態】
【００１２】
図１に示すように、サッシ枠１と、このサッシ枠１を取り囲むように建物躯体に取り付けるシャッター枠２と、このシャッター枠２の見込み方向室外側部に昇降自在に取り付けたシャッタースラット３と、シャッター枠２の上部に設けたシャッタースラット３の巻き取り・繰り出し装置４とでシャッター付きサッシとしてある。
サッシ枠１は、左右のサッシ縦枠１０，１０とサッシ上枠１１とサッシ下枠１２を方形状に連結したもので、そのサッシ枠１内に障子（図示せず）が開閉自在に設けてある。
シャッター枠２は、左右のシャッター縦枠２０，２０とシャッター上枠２１とシャッター下枠２２を備え、その左右のシャッター縦枠２０の見込み方向室外側部に沿ってシャッタースラット３が昇降する。
シャッタースラット３は、複数のスラット３ａを連結したものである。
巻き取り・繰り出し装置４は、シャッター枠１の上部に取り付けたケース４０内に巻取軸４１を設け、この巻取軸４１にシャッタースラット３の最上部のスラット３ａを固着し、その巻取軸４１を正転、逆転してシャッタースラット３を巻き取り・繰り出しするようにしてある。
【００１３】
サッシ縦枠１０は、図２に示すように、見込み方向室内側部が建物躯体５の開口部５ａの周縁に固着して取り付けられる。例えば、見込み方向室内側面１０ａに設けた躯体取付片１３を開口部５ａの内面に固着具１４で固着して取り付ける。
サッシ縦枠１０の見付け方向外側面１０ｂの見込み方向室内側寄りには見付け方向外側に向かう連結片１５を有している。
サッシ縦枠１０の見付け方向外側面１０ｂと、この見付け方向外側面１０ｂと連続した見込み方向室外側面１０ｃとでサッシ縦枠１０の見込み方向室外側で、かつ見付け方向外側の角部１０ｄを形成し、この角部１０ｄは直角としてある。
この実施の形態のサッシ枠１は合成樹脂製で、そのサッシ縦枠１０、サッシ上枠１１、サッシ下枠１２は同一断面形状の合成樹脂の押出形材としてある。材質は合成樹脂に限らず、アルミ等であっても良い。
【００１４】
シャッター縦枠２０は、見込み方向に向かう本体２３と、この本体２３の見込み方向室内側部に設けた躯体取付部２４と、本体２３の見込み方向室外側部に設けたスラットガイド部２５と、本体２３の見込み方向中間部に設けた見付け方向内側に向かう内向片２６と、本体２３の見込み方向室内側寄りに設けた見付け方向内側に向かう連結片２７を備えている。
躯体取付部２４が建物躯体５の室外側面５ｂに固着具２８で固着して取り付けてある。
サッシ縦枠１０（見付け方向外側面１０ｂ）とシャッター縦枠２０（本体２３）との間には見付け方向の空間Ｓがある。
サッシ縦枠１０の連結片１５とシャッター縦枠２０の連結片２７が重ね合わされ、固着具１６で連結されていると共に、両者の間をシール材１７でシールしている。
つまり、サッシ縦枠１０とシャッター縦枠２０は、その連結片１５，２７を連結した状態で、建物躯体５にそれぞれ取り付けられる。なお、サッシ縦枠１０とシャッター縦枠２０は連結しなくとも良い。
【００１５】
図２に示すシャッター縦枠２０は、その本体２３を板状としてあるので、中空部を有した形状の本体と比べてコストが安いが、後述する撓みが生じ易い。
スラットガイド部２５はコ字状の溝を有し、その溝に沿ってシャッタースラット３が昇降する。
本体２３と、スラットガイド部２５は別体としてあるが、一体でも良い。
図２においては、サッシ枠１内に内障子１ａと外障子１ｂが引き違いに設けられて引き違いサッシとしてあるが、これに限ることはない。
【００１６】
シャッター縦枠２０に設けた内向片２６によってサッシ縦枠１０とシャッター縦枠２０との間の空間Ｓに雨水が浸入しないようにしていると共に、シャッタースラット３が風圧を受けたときのシャッター縦枠２０の見付け方向内側への撓みを軽減できるようにしている。
【００１７】
図３に示すように、内向片２６には、第１規制部２６ａと、この第１規制部２６ａよりも見付け方向外側寄りで、かつ見込み方向室内側寄りの第２規制部２６ｂが設けられている。
第１規制部２６ａがサッシ縦枠１０の角部１０ｄを形成する見込み方向室外側面１０ｃに当接し、シャッター縦枠２０の見込み方向室内側への移動を規制すると共に、その第１規制部２６ａとサッシ縦枠１０の見込み方向室外側面１０ｃとの当接部によって内向片２６とサッシ縦枠１０との間を止水し、内向片２６、サッシ縦枠１０よりも見込み方向室外側寄りの室外側空間Ｓ１の雨水が、内向片２６とサッシ縦枠１０との間から空間Ｓに浸入しないようにしている。この際、第１規制部２６ａとサッシ縦枠１０の見込み方向室外側面１０ｃをビスなどで固着しないことで、後述するようにシャッター縦枠２０が見付け方向内側に撓んだ際に第１規制部２６ａが見込み方向室外側面１０ｃに対して摺接可能に構成されている。
第２規制部２６ｂは、サッシ縦枠１０の角部１０ｄを形成する見付け方向外側面１０ｂと見付け方向の間隔Ｓ２を置いて相対向している。
【００１８】
このようであるから、シャッタースラット３が開放したときなどに、室外側空間Ｓ１に流入した雨水が内向片２６とサッシ縦枠１０との間から空間Ｓに浸入することを抑制し、水密性を向上できる。
【００１９】
シャッタースラット３が風圧を受けたときには図４に示すように、シャッター縦枠２０に見付け方向内側に向かう力（矢印ａ）が作用する場合があり、シャッター縦枠２０は見付け方向内側に撓もうとする。例えば、本体２３が躯体取付部２４の連結部を支点として見付け方向内側に向かって倒れるように撓む。
例えば、シャッタースラット３が矢印ｂで示す風圧（負圧）を受けたときには、シャッタースラット３に設けた抜け止め片３ｂがスラットガイド部２５内に設けた受け片２５ａに係止し、シャッター縦枠２０に矢印ａで示す力が負荷し、見付け方向内側に倒れるように撓もうとする。
【００２０】
前述のようにシャッター縦枠２０が撓もうとした場合、前述の風圧が弱く、シャッター縦枠２０に負荷する力が小さいときには、第１規制部２６ａでシャッター縦枠２０の撓みを規制する。
風圧が順次強くなってシャッター縦枠２０に負荷する力が順次大きくなると、前述の第１規制部２６ａでは撓みを規制できずにシャッター縦枠２０は更に撓む。
このとき、前述の第１規制部２６ａは、サッシ縦枠１０の見込み方向室外側面１０ｃに対して見付け方向内側に摺接する。
【００２１】
前述のようにシャッター縦枠２０が撓むと図５に示すように第２規制部２６ｂがサッシ縦枠１０の見付け方向外側面１０ｂに当接し、シャッター縦枠２０のそれ以上の撓みを規制する。
この状態から、前記風圧がさらに強くなってシャッター縦枠２０に負荷する力もさらに大きくなると、図５に示すように、シャッター縦枠２０の内向片２６よりも見込み方向室外側部分が撓む。
【００２２】
このように、シャッタースラット３が風圧を受けたときのシャッター縦枠２０の見付け方向内側への撓みを軽減することができ、耐風圧性能を向上できる。
【００２３】
また、シャッター縦枠２０が撓まない正常時には、図３に示すように、第２規制部２６ｂとサッシ縦枠１０の見付け方向外側面１０ｂとの間には間隔Ｓ２があるので、サッシ枠１、シャッター枠２の加工誤差、組立誤差による見付け方向の寸法誤差、建物躯体５への見付け方向の取り付け誤差を前述の間隔Ｓ２で吸収することができるから、施工性が優れたものである。
【００２４】
また、シャッタースラット３を開放した状態で室外から見たときに、シャッター縦枠２０の内向片２６の第２規制部２６ｂとサッシ縦枠１０の見付け方向外側面１０ｂとの間の間隔Ｓ２（隙間）が見えないから、サッシ縦枠１０とシャッター縦枠２０との間の空間Ｓが見えることがなく、見栄えが良い。
【００２５】
図６に示すように、第１規制部２６ａのサッシ縦枠１０の見込み方向室外側面１０ｃと当接する当接面３０は、見込み方向室内側に向かって突出した円弧状凸面である。これにより、第１規制部２６ａのサッシ縦枠１０の見込み方向室外側面１０ｃとの接触部は、見付け方向に点接触で、上下方向に線接触となるようにしてある。
このようであるから、第１規制部２６ａとサッシ枠１０の見込み方向室外側面１０ｃが見付け方向には１点で接触するので、止水性を優れたものにできる。
しかも、第１規制部２６ａの円弧状凸面がサッシ縦枠１０の見込み方向室外側面１０ｃに対して見付け方向に摺接するので、その第１規制部２６ａでサッシ縦枠１０の見込み方向室外側面１０ｃの損傷を面接触などで摺接する場合と比較して抑制することができる。
【００２６】
第１規制部２６ａの接触面３０が接触する位置は、シャッター縦枠２０が撓んでいない正常時に、サッシ縦枠１０の見付け方向外側面１０ｂよりも所定の距離だけ見付け方向内側寄りである。
このようであれば、前述したサッシ枠１、シャッター枠２の加工誤差、組立誤差による見付け方向の寸法誤差、見付け方向の取り付け誤差があったときに、第１規制部２６ａをサッシ縦枠１０の見込み方向室外側面１０ｃに確実に接触させることができる。
【００２７】
図６に示すように、第２規制部２６ｂは、見込み方向に所定の長さを有し、サッシ縦枠１０の見付け方向外側面１０ｂに沿った（好ましくは平行）平坦面３１としてある。
このようであれば、シャッター縦枠２０が撓んだときに第２規制部２ｂがサッシ縦枠１０の見付け方向外側面１０ｂに接する面積が広いので、シャッター縦枠２０の撓みを確実に規制することができる。
【００２８】
第１・第２規制部２６，２６ｂの具体形状を説明する。
図６に示すように、シャッター縦枠２０の本体２３の見付け方向内側面２３ａにおける見込み方向中間に内向片２６を一体に設け、その内向き片２６の見付け方向内側端に設けた見込み方向に向かう第２規制片３２と、この第２規制片３２の見込み方向室外側端に見付け方向内側に向けて設けた第１規制片３３を備え、第１規制片３３の見付け方向内側端には、見込み方向室内側に向けて突出した突起部３４を有し、この突起部３４の見込み方向室内側面３４ａを前述の円弧状凸面の当接面３０としてある。第１規制片３３と突起部３４で第１規制部２６ａとしてある。
【００２９】
突起部３４の見込み方向室内側面３４ａがサッシ縦枠１０の見込み方向室外側面１０ｃに接触し、第１規制片３３の見込み方向室内側面３３ａとサッシ縦枠１０の見込み方向室外側面１０ｃとは見込み方向に離隔している。
第２規制片３２の見付け方向内側面３２ａがサッシ縦枠１０の見付け方向外側面１０ｂと間隔Ｓ２を備えて相対向し、この見付け方向内側面３２ａが前述の平坦面３１で、この第２規制片３２で前述の第２規制部２６ｂとしてある。
【００３０】
前述のように、第２規制片３２と第１規制片３３は鉤形状で、その見付け方向内側面３２ａと見込み方向室内側面３３ａは鉤形、好ましくは直角に連続し、かつサッシ縦枠１０の角部１０ｄを形成する見付け方向外側面１０ｂ、見込み方向室外側面１０ｃと隙間を置いて相対向している。
このようであるから、例えばサッシ枠１が合成樹脂製で、サッシ縦枠１０とサッシ上枠１１、サッシ下枠１２の溶着連結部にバリがある場合に、そのバリをこの隙間に収容することで、バリの影響を受けることなく止水及び撓みを軽減できる。
【００３１】
第２規制片３２の見込み方向室内側端は内向き片２６よりも見込み方向室内側に突出してＴ字形状としてあるが、図７に示すように突出せずにＬ字形状としても良い。
なお、図５のように第１規制片３３及び第２規制片３２がサッシ縦枠１０に当接した状態では、内向片２６の基端部（本体２３と内向片２６との境界部分）を支点としてシャッター縦枠２０が見付け方向内側に撓もうとするため、この撓みの支点となる部分（本体２３と内向片２６との境界部分）をよりスラットガイド部２５側（より見込み方向室外側）に位置させることが好ましいことから、内向片２６をより見込み方向室外側に位置させたいが、内向片２６が見込み方向室外側へ寄れば寄るほど第２規制片３２とサッシ縦枠１０（見付け方向外側面１０ｂ）との対向面積（シャッター縦枠２０が撓んだ際の接触面積）が小さくなってしまう。
そこで、図６に示すように、第２規制片３２の見込み方向室内側端を、内向片２６よりも見込み方向室内側に突出した部分を有した形状にすることで、内向片２６よりも見込み方向室内側の位置において第２規制片３２とサッシ枠１０を対向することができるため、内向片２６をより見込み方向室外側に位置させつつも、第２規制片３２とサッシ縦枠１０（見付け方向外側面１０ｂ）との対向面積を大きくすることが可能となる。
また、図８に示すように内向片２６と第１規制片３３を一直線状とし、その内向片２６の見込み方向室内側面に第２規制片３２を見込み方向室内側に向けて設け、この第２規制片３２と第１規制片３３が鉤形状となるようにしても良い。
また、図９に示すように内向片２６の見付け方向内側寄りにシール材装着部３５を設け、このシール材装着部３５にシール材３６を装着し、そのシール材３６をサッシ縦枠１０の見付け方向外側面１０ｂに接するようにしても良い。
なお、図７〜図９においてはシャッター縦枠２０のスラットガイド部２５の図示を省略してある。
【００３２】
なお、第１規制部２６ａがサッシ縦枠１０の見込み方向室外側面１０ｃに沿って見付け方向外側に向けて摺動することを規制できるようにしても良い。
例えば、サッシ縦枠１０の見込み方向室外側面１０ｃに見込み方向室外側に突出した突片を設け、第１規制部２６ａの突起部３４が突片に接して見付け方向外側に摺動しないようにする。
このようにすれば、シャッター縦枠２０が見付け方向外側に撓むことを規制できる。
【符号の説明】
【００３３】
１…サッシ枠、２…シャッター枠、３…シャッタースラット、１０…サッシ縦枠、１０ｂ…見付け方向外側面、１０ｃ…見込み方向室外側面、１０ｄ…角部、２０…シャッター縦枠、２６…内向片、２６ａ…第１規制部、２６ｂ…第２規制部、３０…当接面、３１…平坦面、３２…第２規制片、３２ａ…見付け方向内側面、３３…第１規制片、３３ａ…見込み方向室内側面、３４…突起部、３４ａ…見込み方向室内側面。
【図１】
0005323788.tif 000002
【図２】
0005323788.tif 000003
【図３】
0005323788.tif 000004
【図４】
0005323788.tif 000005
【図５】
0005323788.tif 000006
【図６】
0005323788.tif 000007
【図７】
0005323788.tif 000008
【図８】
0005323788.tif 000009
【図９】
0005323788.tif 000010